【手続補正書】
【提出日】平成17年11月22日(2005.11.22)
【手続補正１】
【補正対象書類名】明細書
【補正対象項目名】発明の名称
【補正方法】変更
【補正の内容】
【発明の名称】ベルトユニット
【手続補正２】
【補正対象書類名】明細書
【補正対象項目名】特許請求の範囲
【補正方法】変更
【補正の内容】
【特許請求の範囲】
【請求項１】  画像形成装置本体に対して脱着自在に設けられたベルトユニットであって、
装置本体に装着された状態で該本体側から駆動力が伝達される第１ローラ、この第１ローラから離間された第２ローラ、これら第１および第２ローラに巻回されて無端走行可能に張設された転写ベルト、およびこの転写ベルトの内側に配置された複数の転写ローラを一体化したベルトユニット。
【請求項２】  画像形成装置本体に対して脱着自在に設けられたベルトユニットであって、
装置本体に装着された状態で該本体側から駆動力が伝達される第１ローラ、この第１ローラから離間された第２ローラ、これら第１および第２ローラに巻回されて無端走行可能に張設された転写ベルト、この転写ベルト上に付着した異物を掻き落とすクリーニングブレード、掻き落とされた異物を回収する回収装置、および上記転写ベルトの内側に配置された複数の転写ローラを一体化したベルトユニット。
【請求項３】  上記第１および第２ローラの回転軸の両端を支持した一対の支持フレームをさらに有し、
上記クリーニングブレードおよび回収装置は、上記支持フレームに取付けられていることを特徴とする請求項２記載のベルトユニット。
【請求項４】  上記一対の支持フレームは、上記転写ベルトユニットを略水平に保持できる取っ手を有することを特徴とする請求項３記載のベルトユニット。
【請求項５】  上記回収装置は、回収した異物を搬送するオーガを有し、このオーガの回転軸と上記第１ローラの回転軸とがギアを介して連結され、上記オーガは上記第１ローラの回転に従動されることを特徴とする請求項２記載のベルトユニット。
【請求項６】  画像形成装置本体に対して脱着自在に設けられたベルトユニットであって、
装置本体に装着された状態で該本体側から駆動力が伝達される第１ローラ、この第１ローラから離間された第２ローラ、これら第１および第２ローラに巻回されて無端走行可能に張設された転写ベルト、およびこの転写ベルトの内側に配置された複数の転写ローラを一体化し、
装置本体に装着された状態で通電された際に切断されるヒューズを有し、このヒューズが切られたことを条件に新たに装着されたことを判断する新旧検知機構を備えたことを特徴とするベルトユニット。
【請求項７】  上記新旧検知機構は、上記転写ベルトの走行方向に沿った略中央位置に配設されていることを特徴とする請求項６記載のベルトユニット。
【請求項８】  画像形成装置本体に対して脱着自在に設けられたベルトユニットであって、
装置本体に装着された状態で該本体側から駆動力が伝達される第１ローラ、この第１ローラから離間された第２ローラ、これら第１および第２ローラに巻回されて無端走行可能に張設された転写ベルト、上記第１および第２ローラの回転軸の両端を支持した一対の支持フレーム、およびこの転写ベルトの内側に配置された複数の転写ローラを一体化し、
上記一対の支持フレームは、上記装置本体との間の位置決め手段を備えていることを特徴とするベルトユニット。
【請求項９】  上記位置決め手段は、上記ベルトユニットおよび装置本体のうち一方に設けられた球状の凹部、および上記ベルトユニットおよび装置本体のうち他方に設けられ、上記凹部に嵌合する球状の凸部を有することを特徴とする請求項８記載のベルトユニット。
【請求項１０】  画像形成装置本体に対して脱着自在に設けられたベルトユニットであって、
装置本体に装着された状態で該本体側から駆動力が伝達される第１ローラ、この第１ローラから離間された第２ローラ、これら第１および第２ローラに巻回されて無端走行可能に張設された転写ベルト、およびこの転写ベルトの内側に配置された複数の転写ローラを一体化してあり、
上記第１ローラの回転軸には、装置本体に装着された際に、装置本体側に設けられた駆動手段に連結されるスプラインが形成されていることを特徴とするベルトユニット。
【請求項１１】  画像形成装置本体に対して脱着自在に設けられたベルトユニットであって、
装置本体に装着された状態で該本体側から駆動力が伝達される第１ローラ、この第１ローラから離間された第２ローラ、これら第１および第２ローラに巻回されて無端走行可能に張設された転写ベルト、上記第１および第２ローラの回転軸の両端を支持した一対の支持フレーム、およびこの転写ベルトの内側に配置された複数の転写ローラを一体化してあり、
装置本体側に設けられ上記一対の支持フレームを押し上げる押上手段によって押し上げられることによって装置本体にセットされ、
この押上手段は、該押上手段を動作させるハンドル、このハンドルの回転中心に設けられた回転軸、この回転軸を乗り越えて固定されるロック機構を有し、このロック機構は、上記押上手段による上記一対の支持フレームの押上状態を固定することを特徴とするベルトユニット。
【請求項１２】  画像形成装置本体に対して脱着自在に設けられたベルトユニットであって、
装置本体に装着された状態で該本体側から駆動力が伝達される第１ローラ、この第１ローラから離間された第２ローラ、これら第１および第２ローラに巻回されて無端走行可能に張設された転写ベルト、およびこの転写ベルトの内側に配置された複数の転写ローラを一体化してあり、
上記装置本体側には、上記転写ベルトから用紙を剥離する剥離手段、および上記ベルトユニットの脱着に際し、該ベルトユニットの軌跡上から上記剥離手段を退避させる退避手段が設けられていることを特徴とするベルトユニット。
【手続補正３】
【補正対象書類名】明細書
【補正対象項目名】０００１
【補正方法】変更
【補正の内容】
【０００１】
【発明の属する技術分野】
この発明は、フルカラー複写機やカラープリンタなどの画像形成装置に搭載されるベルトユニットに関する。
【手続補正４】
【補正対象書類名】明細書
【補正対象項目名】０００９
【補正方法】変更
【補正の内容】
【０００９】
この発明は、以上の点に鑑みなされたもので、その目的は、装置本体に対する脱着が容易にできるベルトユニットを提供することにある。
【手続補正５】
【補正対象書類名】明細書
【補正対象項目名】００１０
【補正方法】変更
【補正の内容】
【００１０】
【課題を解決するための手段】
上記目的を達成するため、この発明のベルトユニットは、画像形成装置本体に対して脱着自在に設けられたものであって、装置本体に装着された状態で該本体側から駆動力が伝達される第１ローラ、この第１ローラから離間された第２ローラ、これら第１および第２ローラに巻回されて無端走行可能に張設された転写ベルト、およびこの転写ベルトの内側に配置された複数の転写ローラを一体化してなることを特徴とする。
【手続補正６】
【補正対象書類名】明細書
【補正対象項目名】００１１
【補正方法】変更
【補正の内容】
【００１１】
また、この発明のベルトユニットは、画像形成装置本体に対して脱着自在に設けられたものであって、装置本体に装着された状態で該本体側から駆動力が伝達される第１ローラ、この第１ローラから離間された第２ローラ、これら第１および第２ローラに巻回されて無端走行可能に張設された転写ベルト、この転写ベルト上に付着した異物を掻き落とすクリーニングブレード、掻き落とされた異物を回収する回収装置、および上記転写ベルトの内側に配置された複数の転写ローラを一体化してなることを特徴とする。
【手続補正７】
【補正対象書類名】明細書
【補正対象項目名】００１２
【補正方法】変更
【補正の内容】
【００１２】
また、この発明のベルトユニットによると、上記第１および第２ローラの回転軸の両端を支持した一対の支持フレームをさらに有し、上記クリーニングブレードおよび回収装置は、上記支持フレームに取付けられていることを特徴とする。
【手続補正８】
【補正対象書類名】明細書
【補正対象項目名】００１３
【補正方法】変更
【補正の内容】
【００１３】
また、この発明のベルトユニットによると、上記一対の支持フレームは、上記ベルトユニットを略水平に保持できる取っ手を有することを特徴とする。
【手続補正９】
【補正対象書類名】明細書
【補正対象項目名】００１４
【補正方法】変更
【補正の内容】
【００１４】
また、この発明のベルトユニットによると、上記回収装置は、回収した異物を搬送するオーガを有し、このオーガの回転軸と上記第１ローラの回転軸とがギアを介して連結され、上記オーガは上記第１ローラの回転に従動されることを特徴とする。
【手続補正１０】
【補正対象書類名】明細書
【補正対象項目名】００１５
【補正方法】変更
【補正の内容】
【００１５】
また、この発明のベルトユニットは、画像形成装置本体に対して脱着自在に設けられたものであって、装置本体に装着された状態で該本体側から駆動力が伝達される第１ローラ、この第１ローラから離間された第２ローラ、これら第１および第２ローラに巻回されて無端走行可能に張設された転写ベルト、およびこの転写ベルトの内側に配置された複数の転写ローラを一体化し、装置本体に装着された状態で通電された際に切断されるヒューズを有し、このヒューズが切られたことを条件に新たに装着されたことを判断する新旧検知機構を備えたことを特徴とする。
【手続補正１１】
【補正対象書類名】明細書
【補正対象項目名】００１６
【補正方法】変更
【補正の内容】
【００１６】
また、この発明のベルトユニットによると、上記新旧検知機構は、上記転写ベルトの走行方向に沿った略中央位置に配設されていることを特徴とする。
【手続補正１２】
【補正対象書類名】明細書
【補正対象項目名】００１７
【補正方法】変更
【補正の内容】
【００１７】
また、この発明のベルトユニットは、画像形成装置本体に対して脱着自在に設けられたものであって、装置本体に装着された状態で該本体側から駆動力が伝達される第１ローラ、この第１ローラから離間された第２ローラ、これら第１および第２ローラに巻回されて無端走行可能に張設された転写ベルト、上記第１および第２ローラの回転軸の両端を支持した一対の支持フレーム、およびこの転写ベルトの内側に配置された複数の転写ローラを一体化し、上記一対の支持フレームは、上記装置本体との間の位置決め手段を備えていることを特徴とする。
【手続補正１３】
【補正対象書類名】明細書
【補正対象項目名】００１８
【補正方法】変更
【補正の内容】
【００１８】
また、この発明のベルトユニットによると、上記位置決め手段は、上記ベルトユニットおよび装置本体のうち一方に設けられた球状の凹部、および上記ベルトユニットおよび装置本体のうち他方に設けられ、上記凹部に嵌合する球状の凸部を有することを特徴とする。
【手続補正１４】
【補正対象書類名】明細書
【補正対象項目名】００１９
【補正方法】変更
【補正の内容】
【００１９】
また、この発明のベルトユニットは、画像形成装置本体に対して脱着自在に設けられたものであって、装置本体に装着された状態で該本体側から駆動力が伝達される第１ローラ、この第１ローラから離間された第２ローラ、これら第１および第２ローラに巻回されて無端走行可能に張設された転写ベルト、およびこの転写ベルトの内側に配置された複数の転写ローラを一体化してあり、上記第１ローラの回転軸には、装置本体に装着された際に、装置本体側に設けられた駆動手段に連結されるスプラインが形成されていることを特徴とする。
【手続補正１５】
【補正対象書類名】明細書
【補正対象項目名】００２０
【補正方法】変更
【補正の内容】
【００２０】
また、この発明のベルトユニットは、画像形成装置本体に対して脱着自在に設けられたものであって、装置本体に装着された状態で該本体側から駆動力が伝達される第１ローラ、この第１ローラから離間された第２ローラ、これら第１および第２ローラに巻回されて無端走行可能に張設された転写ベルト、上記第１および第２ローラの回転軸の両端を支持した一対の支持フレーム、およびこの転写ベルトの内側に配置された複数の転写ローラを一体化してあり、装置本体側に設けられ上記一対の支持フレームを押し上げる押上手段によって押し上げられることによって装置本体にセットされ、この押上手段は、該押上手段を動作させるハンドル、このハンドルの回転中心に設けられた回転軸、この回転軸を乗り越えて固定されるロック機構を有し、このロック機構は、上記押上手段による上記一対の支持フレームの押上状態を固定することを特徴とする。
【手続補正１６】
【補正対象書類名】明細書
【補正対象項目名】００２１
【補正方法】変更
【補正の内容】
【００２１】
更に、この発明のベルトユニットは、画像形成装置本体に対して脱着自在に設けられたものであって、装置本体に装着された状態で該本体側から駆動力が伝達される第１ローラ、この第１ローラから離間された第２ローラ、これら第１および第２ローラに巻回されて無端走行可能に張設された転写ベルト、およびこの転写ベルトの内側に配置された複数の転写ローラを一体化してあり、上記装置本体側には、上記転写ベルトから用紙を剥離する剥離手段、および上記ベルトユニットの脱着に際し、該ベルトユニットの軌跡上から上記剥離手段を退避させる退避手段が設けられていることを特徴とする。
【手続補正１７】
【補正対象書類名】明細書
【補正対象項目名】００２３
【補正方法】変更
【補正の内容】
【００２３】
図１には、この発明のベルトユニットを搭載した画像形成装置として、デジタルカラー複写機１（以下、単に複写機１または本体１と称する）の断面図を概略的に示してある。図２には、複写機１のフロントカバー３を開放した状態の斜視図を概略的に示してある。
【手続補正１８】
【補正対象書類名】明細書
【補正対象項目名】００２８
【補正方法】変更
【補正の内容】
【００２８】
プロセスユニット５１の下方には、本発明の転写ベルトユニット６１（ベルトユニット）が配設されている。転写ベルトユニット６１は、駆動ローラ６２、従動ローラ６４、およびこれらの各ローラに巻回されて張設された転写ベルト６６を有するとともに、上述した各感光体ドラム１１ａ、１１ｂ、１１ｃ、１１ｄの略鉛直下方にそれぞれ対向して設けられた４つの転写ローラ６８ａ、６８ｂ、６８ｃ、６８ｄを有している。この転写ベルトユニット６１は、転写ベルト６６が上述した４つの感光体ドラム１１ａ、１１ｂ、１１ｃ、１１ｄに転接されるように位置決めされて配設される。
【手続補正１９】
【補正対象書類名】明細書
【補正対象項目名】０１９３
【補正方法】変更
【補正の内容】
【０１９３】
【発明の効果】
以上説明したように、この発明のベルトユニットは、上記のような構成および作用を有しているので、画像形成装置本体に対し、容易に脱着することができる。